(57)【要約】【課題】複数の店舗のポイント残高を効率よく管理できる金銭登録装置及び金銭登録システムを提供する。【解決手段】金銭登録装置は、商品毎の単価を格納する商品マスタと、一取引の内容を格納するトランザクションファイルと、顧客に固有に割り当てられる識別子毎にポイントを格納するポイントデータベースと、顧客が有する携帯端末と通信する通信部と、ポイント残高と店名とを、店名ごとにポイントを表示する入出力部を有する携帯端末に送信する制御部と、を備える。【選択図】図１
2014153910.tif 000002
【特許請求の範囲】
【請求項１】
商品毎の単価を格納する商品マスタと、
一取引の内容を格納するトランザクションファイルと、
顧客に固有に割り当てられる識別子毎にポイントを格納するポイントデータベースと、
顧客が有する携帯端末と通信する通信部と、
ポイントと店名とを、前記店名ごとに前記ポイントを表示する入出力部を有する前記携帯端末に送信する制御部と、
を備える金銭登録装置。
【請求項２】
前記携帯端末は、
顧客に固有に割り当てられる識別子毎を生成するＩＤ付与サーバから、ＩＤの付与を受ける請求項１記載の金銭登録装置。
【請求項３】
前記携帯端末は、
前記ＩＤ付与サーバと通信する第１の通信部と、
前記金銭登録装置と通信する第２の通信部と、を備え、
前記金銭登録装置は、
前記店名と前記ポイントを前記第２の通信部を介して送信する請求項２記載の金銭登録装置。
【請求項４】
顧客に固有に割り当てられる識別子毎にポイントを格納するポイント管理データベースを備える本部サーバと、
前記本部サーバに接続するストアコントローラと、
前記ストアコントローラに接続し、商品毎の単価を格納する商品マスタと、一取引の内容を格納するトランザクションファイルと、顧客に固有に割り当てられる識別子毎にポイント残高を格納するポイントデータベースと、顧客が有する携帯端末と通信する通信部と、  ポイントと店名とを、前記店名ごとに前記ポイントを表示する入出力部を有する前記携帯端末に送信する制御部と、を備える金銭登録装置と、
を備える金銭登録システム。
【請求項５】
前記携帯端末は、
顧客に固有に割り当てられる識別子毎を生成するＩＤ付与サーバから、ＩＤの付与を受ける請求項４記載の金銭登録システム。
【請求項６】
演算処理を行う制御部と、
商品毎の単価を格納する商品マスタと、
一取引の内容を格納するトランザクションファイルと、
顧客に固有に割り当てられる識別子毎にポイントを格納するポイントデータベースと、
顧客が有する携帯端末と通信する通信部と、
を備える金銭登録装置を、
ポイントと店名とを、前記店名ごとに前記ポイントを表示する入出力部を有する前記携帯端末に送信する送信手段として機能させるための金銭登録プログラム。
【発明の詳細な説明】
【技術分野】
【０００１】
本発明の実施形態は、金銭登録装置、金銭登録システム及び金銭登録プログラムに関する。
【背景技術】
【０００２】
近年自社の会員に対して会員カードを発行し、この会員カードを持参する顧客に対して様々な優待サービスを行う販売促進方法が一般的になっている。
【０００３】
従来のＰＯＳ端末等の金銭登録装置においては、自社の発行した会員カードを読み取り可能なカードリーダを備え、このカードリーダによって会員カードからＩＤを読み取り、このＩＤに基づいてポイントサーバに当該会員のポイントを問い合わせ、一取引の清算時にポイントの付与又は使用を行う。
【０００４】
このため、顧客は会員となった店舗の数だけ会員カードを所持し、ポイント残高を照会するにはパソコンを用いてインターネット等の通信回線により店舗ごとにポイントサーバに接続しなければならなかった。
【０００５】
このため、カードの数が多数に上るのみならず、ポイント残高の確認を店舗ごとに行うため、手数かかかっていた。
【先行技術文献】
【特許文献】
【０００６】
【特許文献１】特開２００３−２７２０５２号公報
【発明の概要】
【発明が解決しようとする課題】
【０００７】
従って、複数の店舗のポイント残高を効率よく管理できる金銭登録装置、金銭登録システム及び金銭登録プログラムが求められている。
【課題を解決するための手段】
【０００８】
上記の課題を解決するために、本発明の一実施形態は、商品毎の単価を格納する商品マスタと、一取引の内容を格納するトランザクションファイルと、顧客に固有に割り当てられる識別子毎にポイントを格納するポイントデータベースと、顧客が有する携帯端末と通信する通信部と、ポイントと店名とを、前記店名ごとに前記ポイントを表示する入出力部を有する前記携帯端末に送信する制御部と、を備える金銭登録装置を提供する。
【図面の簡単な説明】
【０００９】
【図１】金銭登録装置を備える金銭登録システムの構成を示すブロック図である。
【図２】ＩＤ−ＤＢのデータ構成を示す図である。
【図３】ＩＤファイルのデータ構成を示す図である。
【図４】ポイントファイルのデータ構成を示す図である。
【図５】商品マスタ及び商品マスタのデータ構成を示す図である。
【図６】トランザクションファイルのデータ構成を示す図である。
【図７】ポイントＤＢのデータ構成を示す図である。
【図８】ポイントマスタのデータ構成を示す図である。
【図９】ポイント管理ＤＢのデータ構成を示す図である。
【図１０】ＩＤ付与サーバのＩＤ付与動作を示すフローチャートである。
【図１１】金銭登録装置のポイント管理動作を示す図である。
【図１２】ポイント残高一覧表の例を示す図である。
【発明を実施するための形態】
【００１０】
以下、金銭登録装置、金銭登録システム、及び金銭登録プログラムの一実施形態について、図面を用いて詳細に説明する。
【００１１】
本実施形態の金銭登録装置は、商品毎の単価を格納する商品マスタと、一取引の内容を格納するトランザクションファイルと、顧客に固有に割り当てられる識別子毎にポイントを格納するポイントデータベースと、顧客が有する携帯端末と通信する通信部と、ポイントと店名とを、前記店名ごとに前記ポイントを表示する入出力部を有する前記携帯端末に送信する制御部と、を備える。
【００１２】
図１は、本実施形態の金銭登録装置４０を備える金銭登録システムの構成を示すブロック図である。図１に示すように、金銭登録システムは、店舗３に設置される、いわゆるＰＯＳ端末等の金銭登録装置４０と、店舗３に設置され、金銭登録装置４０と接続するストアコントローラ３０と、顧客が所持する携帯電話乃至スマートフォン等の携帯端末２と、顧客に固有に割り当てられるＩＤを発行するＩＤ付与サーバ１と、本部に設置される本部サーバ５と、を備える。
【００１３】
なお、小規模な金銭登録システムは本部サーバ５を有さない。また、さらに小規模な金銭登録システムは本部サーバ５及びストアコントローラ３０を有さない。
【００１４】
金銭登録装置４０は、演算を行うＣＰＵを備える制御部４１と、タッチパネル、キーボード、カードリーダ、スキャナ等の情報を入出力する入出力部４４と、ＲＯＭ、ＲＡＭ、ハードディスクドライブ等の記憶装置４２と、通信を行う第１通信部４３Ａ及び第２通信部４３Ｂと、を備える。
【００１５】
金銭登録装置４０はさらに、金銭を出し入れするドロワを接続してもよい。
【００１６】
記憶装置４２は、商品に固有に割り当てられる商品コード毎に単価を格納する商品マスタ４２Ａと、一取引の内容を格納するトランザクションファイル４２Ｂと、顧客に固有に割り当てられるＩＤごとにポイント残高を格納するポイントデータベース（以下、データベースをＤＢと言う。）４２Ｃと、を備える。
【００１７】
記憶装置４２は、金銭登録プログラムを格納する。制御部４１はこの金銭登録プログラムを記憶装置４２から読み出して実行する。
【００１８】
第１通信部４３Ａは、ストアコントローラ３０と通信する。第１通信部４３Ａは、有線ＬＡＮ、無線ＬＡＮなどの通信方式を用いることができる。
【００１９】
第２通信部４３Ｂは携帯端末２と通信する。第２通信部４３Ｂは、例えば無線ＬＡＮ、Ｂｌｕｅｔｏｏｔｈ（登録商標）、ＮＦＣ等の無線タグを使用した通信方式、バーコード等を用いて携帯端末２と通信する。
【００２０】
ストアコントローラ３０は、演算を行うＣＰＵを備える制御部３１と、タッチパネル、キーボード等の情報を入出力する入出力部３４と、ＲＯＭ、ＲＡＭ、ハードディスクドライブ等の記憶装置３２と、金銭登録装置４０と第１通信部４３Ａを介して通信を行う通信部３３と、を備える。
【００２１】
記憶装置３２は、商品に固有に割り当てられる商品コード毎に単価を格納する商品マスタ３２Ａと、顧客に固有に割り当てられるＩＤごとにポイント残高を格納するポイントマスタ３２Ｂと、を備える。
【００２２】
金銭登録システムがストアコントローラ３０を備える場合、金銭登録装置４０は商品マスタ４２Ａに格納されていない商品コードをストアコントローラ３０に問い合わせ、当該商品に関する商品名、単価等の商品情報をストアコントローラ３０から受信し、商品マスタ４２Ａに格納する。
【００２３】
金銭登録システムが本部サーバ５を備える場合、ストアコントローラ３０は、本部サーバ５に金銭登録装置４０から受信したＩＤを送信し、本部サーバ５からＩＤ及びポイント残高を受信し、受信したＩＤ及びポイント残高を金銭登録装置４０に送信する。
【００２４】
本部サーバ５は、演算を行うＣＰＵを備える制御部５１と、タッチパネル、キーボード等の情報を入出力する入出力部５４と、ＲＯＭ、ＲＡＭ、ハードディスクドライブ等の記憶装置５２と、ストアコントローラ３０と通信部３３及び通信回線網７を介して通信を行う通信部５３と、を備える。
【００２５】
記憶装置５２は、顧客に固有に割り当てられるＩＤごとにポイント残高を格納するポイントマスタ５２Ａと、を備える。
【００２６】
ＩＤ付与サーバ１は、演算を行うＣＰＵを備える制御部１１と、タッチパネル、キーボード等の情報を入出力する入出力部１４と、ＲＯＭ、ＲＡＭ、ハードディスクドライブ等の記憶装置１２と、携帯端末２と第２通信部２３Ｂ及び通信回線６を介して通信を行う通信部１３と、を備える。
【００２７】
記憶装置１２は、顧客に固有に割り当てられるＩＤを格納するＩＤ−ＤＢ１２Ａと、携帯端末２において実行されるプログラムであるポイントアプリ１２Ｂと、を格納する。
【００２８】
携帯端末２は、演算を行うＣＰＵを備える制御部２１と、タッチパネル、キーボード等の情報を入出力する入出力部２４と、ＲＯＭ、ＲＡＭ、ハードディスクドライブ等の記憶装置２２と、ＩＤ付与サーバ１と通信を行う第１通信部２３Ａと、金銭登録装置４０と通信を行う第２通信部２３Ｂと、を備える。
【００２９】
記憶装置２２は、顧客に固有に割り当てられるＩＤを格納するＩＤファイル２２Ａと、店名ごとにポイント残高を格納するポイントファイル２２Ｂと、を格納する。
【００３０】
図２は、ＩＤ−ＤＢ１２Ａのデータ構成を示す図である。図２に示すように、ＩＤ−ＤＢ１２Ａは、顧客に固有に割り当てられる識別子である「ＩＤ」と、顧客のメールアドレスを示す「メールアドレス」と、を格納する。
【００３１】
各データの例は、ＩＤが「１００１２３４」、メールアドレスが「ａｂｃ＠ｃｄｅ．ｃｏｍ」である。
【００３２】
図３は、ＩＤファイル２２Ａのデータ構成を示す図である。図３に示すように、ＩＤファイル２２Ａは、顧客に固有に割り当てられる識別子である「ＩＤ」を格納する。
【００３３】
ＩＤのデータの例は「１００１２３４」である。
【００３４】
図４は、ポイントファイル２２Ｂのデータ構成を示す図である。図４に示すように、ポイントファイル２２Ｂは、商品を販売する店舗を示す「店名」と、顧客の店舗ごとのポイント残高である「ポイント残高」と、を格納する。
【００３５】
各データの例は、店名が「Ａ電気」、ポイント残高が「１３０００」である。
【００３６】
図５は、商品マスタ４２Ａ及び商品マスタ３２Ａのデータ構成を示す図である。図５に示すように、商品マスタ４２Ａ及び商品マスタ３２Ａはそれぞれ、商品マスタ４２Ａは販売する商品が属する「部門」及び「クラス」と、商品の名称である「商品名」と、各商品に固有に割り当てられる名称である「商品コード」と、当該商品の販売価格である「単価」と、を格納する。
【００３７】
各データの例は、部門が「食品」、クラスが「日配品」、商品名が「Ｍ牛乳」、商品コードが「１２３４５６」、単価が「１９８」である。
【００３８】
図６は、トランザクションファイル４２Ｂのデータ構成を示す図である。図６に示すように、トランザクションファイル４２Ｂは、販売する商品が属する「部門」及び「クラス」と、商品の名称である「商品名」と、各商品に固有に割り当てられる名称である「商品コード」と、当該商品の販売価格である「単価」と、販売した商品の数量である「数量」と、を格納する。
【００３９】
各データの例は、部門が「食品」、クラスが「日配品」、商品名が「Ｍ牛乳」、商品コードが「１２３４５６」、単価が「１９８」、数量が「１」である。
【００４０】
図７は、ポイントＤＢ４２Ｃのデータ構成を示す図である。図７に示すように、ポイントＤＢ４２Ｃは、顧客に固有に割り当てられる識別子である「ＩＤ」と、顧客の店舗ごとのポイント残高である「ポイント残高」と、を格納する。
【００４１】
各データの例は、ＩＤが「１００１２３４」、ポイント残高が「１３０００」である。
【００４２】
図８は、ポイントマスタ３２Ｂのデータ構成を示す図である。図８に示すように、ポイントマスタ３２Ｂは、顧客に固有に割り当てられる識別子である「ＩＤ」と、顧客の店舗ごとのポイント残高である「ポイント残高」と、を格納する。
【００４３】
各データの例は、ＩＤが「１００１２３４」、ポイント残高が「１３０００」である。
【００４４】
図９は、ポイント管理ＤＢ５２Ａのデータ構成を示す図である。図９に示すように、ポイント管理ＤＢ５２Ａは、顧客に固有に割り当てられる識別子である「ＩＤ」と、顧客の店舗ごとのポイント残高である「ポイント残高」と、を格納する。
【００４５】
各データの例は、ＩＤが「１００１２３４」、ポイント残高が「１３０００」である。
【００４６】
図１０は、ＩＤ付与サーバ１のＩＤ付与動作を示すフローチャートである。図１０に示すように、ステップ１００１において、携帯端末２はＩＤ付与サーバ１にＩＤ付与要求を送信する。
【００４７】
ステップ１００２において、ＩＤ付与サーバ１は顧客に固有のＩＤを生成する。具体的には、顧客に固有のＩＤを顧客のメールアドレスに割り当てる形にて生成する。ＩＤ付与サーバ１は生成したＩＤを携帯端末２に送信する。
【００４８】
ステップ１００３において、携帯端末２はＩＤ付与サーバ１に店舗ごとの顧客のポイント残高を一覧表にて管理するアプリケーションプログラムであるポイントアプリのダウンロード要求を送信する。
【００４９】
ステップ１００４において、ＩＤ付与サーバ１はポイントアプリを携帯端末２に送信する。
【００５０】
ステップ１００５において、携帯端末２はポイントアプリをインストールする。
【００５１】
図１１は、金銭登録プログラムの金銭登録装置４０におけるポイント管理動作を示す図である。図１１に示すように、ステップ１１０１において、金銭登録装置４０は販売する商品の商品コードをスキャンする。金銭登録装置４０は、スキャンした商品コードに基づいて商品マスタ４２Ａを検索し、読み出した部門、クラス、商品名、単価及び販売する数量をトランザクションファイル４２Ｂに格納する。
【００５２】
ステップ１１０２において、金銭登録装置４０は小計ボタンが押下されたかを判定する。金銭登録装置４０は小計ボタンが押下されたと判定した場合、ステップ１１０３に進み、押下されたと判定しない場合、ステップ１１０１に戻る。
【００５３】
ステップ１１０３において、ポイントアプリが起動している携帯端末２にＩＤの送信を要求するＩＤ要求を送信する。
【００５４】
ステップ１１０４において、携帯端末２は、ＩＤファイル２２ＡからＩＤを読み出して金銭登録装置４０に送信する。
【００５５】
ステップ１１０５において、金銭登録装置４０は、受信したＩＤに基づいてポイントＤＢ４２Ｃを検索し、ポイント残高を読み出す。
【００５６】
金銭登録装置４０は、ストアコントローラ３０を有する金銭登録システムの場合にはポイントマスタ３２Ｂから、ストアコントローラ３０と本部サーバ５を有する金銭登録システムの場合はポイント管理ＤＢ５２Ａから、当該ＩＤのポイント残高を読み出す。
【００５７】
ステップ１１０６において、金銭登録装置４０は販売した商品の売上合計からポイントを計算し、このポイントをポイント残高に加算して新たなポイント残高とする。
【００５８】
ステップ１１０７において、金銭登録装置４０はポイントＤＢ４２Ｃの当該ＩＤに計算したポイント残高を格納する。金銭登録装置４０は、ストアコントローラ３０を有する金銭登録システムの場合にはポイントマスタ３２Ｂに、ストアコントローラ３０と本部サーバ５を有する金銭登録システムの場合はポイント管理ＤＢ５２Ａに、当該ＩＤのポイント残高を格納する。
【００５９】
ステップ１１０８において、金銭登録装置４０は携帯端末２に付与するポイント又はポイント残高を店名とともに送信する。
【００６０】
ステップ１１０９において、携帯端末２は店名と付与されたポイント又はポイント残高を受信する。
【００６１】
ステップ１１１０において、携帯端末２は受信した付与されたポイント又はポイント残高を、ポイントファイル２２Ｂの該当する店名に対応するポイント残高に格納する。
【００６２】
ステップ１１１１において、携帯端末２はポイントファイル２２Ｂから店名と付与されたポイント又はポイント残高を読み出して、一覧表にして入出力部２４に表示する。
【００６３】
図１２は、ポイント残高一覧表の例を示す図である。図１２に示すように、携帯端末２は、入出力部２４に店名ごとにポイント残高を一覧表にして表示する。
【００６４】
以上述べたように、本実施形態の金銭登録装置４０は、商品毎の単価を格納する商品マスタ４２Ａと、一取引の内容を格納するトランザクションファイル４２Ｂと、顧客に固有に割り当てられる識別子毎にポイントを格納するポイントＤＢ４２Ｃと、顧客が有する携帯端末２と通信する第２通信部４３Ｂと、ポイントと店名とを、店名ごとにこのポイントを表示する入出力部２４を有する前記携帯端末に送信する制御部と、を備える。
【００６５】
従って、複数の店舗のポイント残高を効率よく管理できるという効果がある。
【００６６】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１：ＩＤ付与サーバ
２：携帯端末
５：本部サーバ
３０：ストアコントローラ
４０：金銭登録装置
【図１】
2014153910.tif 000003
【図２】
2014153910.tif 000004
【図３】
2014153910.tif 000005
【図４】
2014153910.tif 000006
【図５】
2014153910.tif 000007
【図６】
2014153910.tif 000008
【図７】
2014153910.tif 000009
【図８】
2014153910.tif 000010
【図９】
2014153910.tif 000011
【図１０】
2014153910.tif 000012
【図１１】
2014153910.tif 000013
【図１２】
2014153910.tif 000014